(57)【要約】      （修正有）【課題】トラックバック一覧を、トラックバック先の記事を掲載するウェブページ以外でも掲載可能とする。【解決手段】端末装置と、ネットワークを介して接続されたサーバ装置と、トラックバックＵＲＬ（Uniform Resource Locater）と、当該トラックバックＵＲＬに関連付けられた記事のＵＲＬ及び記事情報と、を互いに異なる複数の情報項目毎に判別可能に登録するデータベースとを備え、前記サーバ装置は、異なる複数のページのデータを記憶し、前記端末装置から要求されたページのデータを取得し、当該要求されたページに対応する前記情報項目に対して付されたトラックバックＵＲＬに関連付けられた前記記事のＵＲＬ及び記事情報を取得し、前記記事のＵＲＬ及び記事情報が組み込まれたページを作成し、前記端末装置に提供し、前記端末装置は、前記サーバ装置から提供されたページを受信して表示する。【選択図】図８
2008204392.tif 000002
【特許請求の範囲】
【請求項１】
端末装置と、
ネットワークを介して接続された前記端末装置に対して所定の情報を掲載したページを提供するサーバ装置と、
異なる複数のページ間で共通する情報項目に対して付されたトラックバックＵＲＬ（Uniform Resource Locater）と、当該トラックバックＵＲＬに関連付けられた記事のＵＲＬ及び記事情報と、を互いに異なる複数の情報項目毎に判別可能に登録するデータベースと、
を備えるネットワークシステムであって、
前記サーバ装置は、
異なる複数のページのデータを記憶するページデータ記憶手段と、
前記端末装置からのページ要求を受信するページ要求受信手段と、
前記要求されたページのデータを取得するページ取得手段と、
前記要求されたページに対応する前記情報項目に対して付されたトラックバックＵＲＬに関連付けられた前記記事のＵＲＬ及び記事情報を取得する記事情報取得手段と、
前記取得されたページのデータと前記取得された記事のＵＲＬ及び記事情報とに基づいて、前記記事のＵＲＬ及び記事情報が組み込まれたページを作成するページ作成手段と、
前記作成されたページを前記端末装置に対して提供するページ提供手段と、
を備え、
前記端末装置は、
前記サーバ装置から提供されたページを受信するページ受信手段と、
前記受信されたページを表示するページ表示手段と、
を備えることを特徴とするネットワークシステム。
【請求項２】
ネットワークを介して接続された端末装置に対して所定の情報を掲載したページを提供するサーバ装置と、ＵＲＬの異なる複数のページ間で共通する情報項目に対して付されたトラックバックＵＲＬと、当該トラックバックＵＲＬに関連付けられた記事のＵＲＬ及び記事情報と、を互いに異なる複数の情報項目毎に判別可能に登録するデータベースと、を備えるネットワークシステムに含まれる前記サーバ装置であって、
異なる複数のページのデータを記憶するページデータ記憶手段と、
前記端末装置からのページ要求を受信するページ要求受信手段と、
前記要求されたページのデータを取得するページ取得手段と、
前記要求されたページに対応する前記情報項目に対して付されたトラックバックＵＲＬに関連付けられた前記記事のＵＲＬ及び記事情報を取得する記事情報取得手段と、
前記取得されたページのデータと前記取得された記事のＵＲＬ及び記事情報とに基づいて、前記記事のＵＲＬ及び記事情報が組み込まれたページを作成するページ作成手段と、
前記作成されたページを前記端末装置に対して提供するページ提供手段と、
を備えることを特徴とするサーバ装置。
【請求項３】
請求項２に記載のサーバ装置において、
特定の前記情報項目に対して付されたトラックバックＵＲＬに関連付けられた前記記事のＵＲＬ及び記事情報は、当該情報項目を共通にする前記複数のページに組み込まれることを特徴とするサーバ装置。
【請求項４】
請求項２又は３に記載のサーバ装置において、
前記記事情報取得手段は、前記取得した前記記事のＵＲＬ及び記事情報が複数ある場合には、夫々の前記記事に対するアクセス数を示すアクセス数情報を更に取得し、
前記ページ作成手段は、前記記事のＵＲＬ及び記事情報と共に前記アクセス数情報が組み込まれたページを作成することを特徴とするサーバ装置。
【請求項５】
請求項２又は３に記載のサーバ装置において、
前記記事情報取得手段は、前記取得した前記記事のＵＲＬ及び記事情報が複数ある場合には、夫々の前記記事に対するアクセス数を示すアクセス数情報を更に取得し、
前記取得された夫々の前記アクセス数情報に示されるアクセス数を比較するアクセス数比較手段を更に備え、
前記ページ作成手段は、前記比較されたアクセス数に応じた順序で前記記事情報が前記ページ上に掲載されるように前記記事のＵＲＬ及び記事情報を組み込んで前記ページを作成することを特徴とするサーバ装置。
【請求項６】
請求項４又は５に記載のサーバ装置において、
前記提供された前記ページに組み込まれた記事のＵＲＬが前記端末装置において指定された回数を、前記記事毎にカウントするカウント手段を更に備え、
前記記事情報取得手段は、前記カウントされた回数を示す情報を前記記事に対するアクセス数情報として取得することを特徴とするサーバ装置。
【請求項７】
請求項２又は３に記載のサーバ装置において、
前記ページは、複数の前記端末装置のユーザ毎に設定されており、
前記ユーザにより選択された所望の記事作成者を示す記事作成者情報を前記ユーザに判別可能に記憶する記事作成者情報記憶手段を更に備え、
前記ページ作成手段は、前記取得された前記記事のＵＲＬ及び記事情報が複数ある場合には、これらの記事の記事作成者のうち、前記ページ要求をした前記端末装置のユーザの前記記事作成者情報に示される記事作成者の前記記事情報が優先的に前記ページ上に掲載されるように前記記事のＵＲＬ及び記事情報を組み込んで前記ページを作成することを特徴とするサーバ装置。
【請求項８】
請求項２乃至７の何れか一項に記載のサーバ装置であって、
前記情報項目は、順位が競われるレースであり、
前記ページは、複数の前記端末装置のユーザ毎に設定され、前記レースへの複数の出場対象のうち１以上の出場対象が前記ユーザにより選択可能なページであることを特徴とするサーバ装置。
【請求項９】
請求項２に記載のサーバ装置にネットワークを介して接続され、前記データベースを備える管理装置であって、
前記サーバ装置からの前記情報項目の指定を含む記事要求を受信する記事要求受信手段と、
前記記事要求にて指定された前記情報項目に対して付されたトラックバックＵＲＬに関連付けられた前記記事のＵＲＬ及び記事情報を前記データベースから取得し、これを前記サーバ装置に対して送信する記事情報送信手段と、
を備えることを特徴とする管理装置。
【請求項１０】
請求項２乃至８の何れか一項に記載のサーバ装置として機能させることを特徴とするサーバ処理プログラム。
【請求項１１】
請求項９に記載の管理装置として機能させることを特徴とする管理処理プログラム。
【請求項１２】
ネットワーク介して接続された前記端末装置に対して所定の情報を掲載したページを提供するサーバ装置と、ＵＲＬの異なる複数のページ間で共通する情報項目に対して付されたトラックバックＵＲＬと、当該トラックバックＵＲＬに関連付けられた記事のＵＲＬ及び記事情報と、を互いに異なる複数の情報項目毎に判別可能に登録するデータベースと、を備えるネットワークシステムにおけるページ提供方法であって、
前記サーバ装置が、
異なる複数のページのデータを記憶する工程と、
前記端末装置からのページ要求を受信する工程と、
前記要求されたページのデータを取得する工程と、
前記要求されたページに対応する前記情報項目に対して付されたトラックバックＵＲＬに関連付けられた前記記事のＵＲＬ及び記事情報を取得する工程と、
前記取得されたページのデータと前記取得された記事のＵＲＬ及び記事情報とに基づいて、前記記事のＵＲＬ及び記事情報が組み込まれたページを作成する工程と、
前記作成されたページを前記端末装置に対して提供する工程と、
を備えることを特徴とするページ提供方法。
【発明の詳細な説明】
【技術分野】
【０００１】
本発明は、インターネット等のネットワーク介して接続されたパーソナルコンピュータ等の端末装置に対して、所定の情報を掲載したウェブ（Ｗｅｂ）ページを提供するサーバ装置等の技術分野に関し、特に、トラックバックされた記事の一覧を掲載するウェブページを作成して提供する技術に関する。
【背景技術】
【０００２】
近年、インターネット上の情報提供サービスとしてブログ（ウェブログの略）サービスが一般化しつつある。ブログとは、一般的に、日々更新されるタイプのサイト（ウェブサイト）を意味するものである。このようなブログの開設者は、端末装置を通じて、あるウェブページ上に掲載される記事に対してリンクを張り（当該記事を引用して）、自身の意見、批評、解説等のコメントを書き込んだ記事を作成し、当該記事を自身のウェブページ（ブログページ）上に掲載することが可能になっている。
【０００３】
そして、このとき、リンク先のサイトに対して、リンクを張ったことを通知する仕組みをトラックバックという。かかるトラックバック通知（トラックバック・ピングといわれる）の送信においては、リンク元（トラックバック元）の記事のＵＲＬと、記事のタイトル及び要約等の記事情報とが、リンク先（トラックバック先）のサイト（具体的には、トラックバックＵＲＬ（Uniform Resource Locater））に対して送信されるようになっている。また、当該リンク先（トラックバック先）のサイトのサーバ装置は、このように送信された記事情報等を基に、リンク元（トラックバック元）の記事の一覧（トラックバック一覧）を生成し、当該一覧を、上記引用された記事を掲載するウェブページに掲載することが可能になっている。なお、かかるトラックバックは、上記トラックバックＵＲＬが付された記事（記事毎にトラックバックＵＲＬが付される）に対して行うことが可能になっており、このトラックバックＵＲＬは、通常、いわゆるＣＧＩ（Common Gate Interface）として提供されるものである。
【０００４】
ところで、このようなトラックバックを応用した技術が種々提案されており、例えば特許文献１には、トラックバックを辿り、トラックバック元のコメントやトラックバックを集約することで、あるブログ記事から続く関連情報を効率的に取得可能なトラックバック元のコメント・トラックバックの集約方法が開示されている。
【特許文献１】特開２００６−３３１３４８号公報
【発明の開示】
【発明が解決しようとする課題】
【０００５】
しかしながら、従来のトラックバックの技術において、リンク元（トラックバック元）の記事の一覧（トラックバック一覧）は、リンク先（トラックバック先）の記事を掲載するウェブページ上に掲載されるものの、当該ウェブページ以外のウェブページ上には掲載されない。このため、当該記事の一覧（トラックバック一覧）を掲載するウェブページに関連する他のウェブページ（例えば、ユーザ毎に個別のマイページ）上でも、当該記事の一覧を閲覧したい端末装置のユーザにとって非常に不便であった。加えて、関連する複数のウェブページ上に掲載される記事の夫々にリンクを張りつつ自身の同様のコメントを書き込んだ記事を作成したいユーザにとっても、夫々のウェブページに掲載される記事毎に、自身の記事を作成しなければならず非常に不便であった。
【０００６】
一方で、例えば特許文献１に開示された技術によれば、トラックバックを辿り、トラックバック元のコメントやトラックバックを集約することで、端末装置のユーザは、他のウェブページ上に掲載される記事の一覧をも、一つのウェブページ上で閲覧することができるものの、当該集約する情報量が多いと、サーバ装置等の負担が増加し、当該ウェブページを端末装置に対して迅速に提供することが困難になることも予想される。また、当該集約する情報量が多いと、記事を閲覧するユーザにとって却って見難い（或いは見るための操作が煩わしい）ことも予想される。
【０００７】
本発明は、このような点に鑑みてなされたものであり、その課題の一例は、リンク元（トラックバック元）の記事の一覧（トラックバック一覧）を、リンク先（トラックバック先）の記事を掲載するウェブページ以外のウェブページ上でも（つまり複数のウェブページ上で）、より効率良く、迅速に掲載可能としたネットワークシステム、サーバ装置、管理装置、サーバ処理プログラム、管理処理プログラム、及びページ提供方法を提供することにある。
【課題を解決するための手段】
【０００８】
上記の課題を解決するために、請求項１に記載の発明は、端末装置と、ネットワークを介して接続された前記端末装置に対して所定の情報を掲載したページを提供するサーバ装置と、異なる複数のページ間で共通する情報項目に対して付されたトラックバックＵＲＬ（Uniform Resource Locater）と、当該トラックバックＵＲＬに関連付けられた記事のＵＲＬ及び記事情報と、を互いに異なる複数の情報項目毎に判別可能に登録するデータベースと、を備えるネットワークシステムであって、前記サーバ装置は、異なる複数のページのデータを記憶するページデータ記憶手段と、前記端末装置からのページ要求を受信するページ要求受信手段と、前記要求されたページのデータを取得するページ取得手段と、前記要求されたページに対応する前記情報項目に対して付されたトラックバックＵＲＬに関連付けられた前記記事のＵＲＬ及び記事情報を取得する記事情報取得手段と、前記取得されたページのデータと前記取得された記事のＵＲＬ及び記事情報とに基づいて、前記記事のＵＲＬ及び記事情報が組み込まれたページを作成するページ作成手段と、前記作成されたページを前記端末装置に対して提供するページ提供手段と、を備え、前記端末装置は、前記サーバ装置から提供されたページを受信するページ受信手段と、前記受信されたページを表示するページ表示手段と、を備えることを特徴とする。
【０００９】
この発明によれば、端末装置から要求されたページに対応する情報項目に対して付されたトラックバックＵＲＬに関連付けられた前記記事のＵＲＬ及び記事情報、並びにページのデータを取得し、取得したページのデータと取得した記事のＵＲＬ及び記事情報とに基づいて、当該記事のＵＲＬ及び記事情報が組み込まれたページを作成し、作成したページを端末装置に対して提供するように構成したので、トラックバック元の記事の一覧（トラックバック一覧）を、情報項目を共通にする複数のページに亘って、より効率良く、迅速に掲載することができる。よって、ユーザの不便さを解消でき、しかもサーバ装置の負担も少なく、加えて従来技術のように、記事を閲覧するユーザにとって却って見難い（或いは見るための操作が煩わしい）ということもない。更に、情報項目を共通にする複数のページ上に掲載される記事の夫々にリンクを張りつつ自身の同様のコメントを書き込んだ記事を作成したいユーザにとって、夫々のページに掲載される記事毎に、自身の記事を作成しなくても、１回の記事作成により、当該複数のページ上に自身の記事をトラックバックしてトラックバック一覧に掲載させることができる。
【００１０】
請求項２に記載の発明は、ネットワークを介して接続された端末装置に対して所定の情報を掲載したページを提供するサーバ装置と、ＵＲＬの異なる複数のページ間で共通する情報項目に対して付されたトラックバックＵＲＬと、当該トラックバックＵＲＬに関連付けられた記事のＵＲＬ及び記事情報と、を互いに異なる複数の情報項目毎に判別可能に登録するデータベースと、を備えるネットワークシステムに含まれる前記サーバ装置であって、異なる複数のページのデータを記憶するページデータ記憶手段と、前記端末装置からのページ要求を受信するページ要求受信手段と、前記要求されたページのデータを取得するページ取得手段と、前記要求されたページに対応する前記情報項目に対して付されたトラックバックＵＲＬに関連付けられた前記記事のＵＲＬ及び記事情報を取得する記事情報取得手段と、前記取得されたページのデータと前記取得された記事のＵＲＬ及び記事情報とに基づいて、前記記事のＵＲＬ及び記事情報が組み込まれたページを作成するページ作成手段と、前記作成されたページを前記端末装置に対して提供するページ提供手段と、を備えることを特徴とする。
【００１１】
この発明によれば、端末装置から要求されたページに対応する情報項目に対して付されたトラックバックＵＲＬに関連付けられた前記記事のＵＲＬ及び記事情報、並びにページのデータを取得し、取得したページのデータと取得した記事のＵＲＬ及び記事情報とに基づいて、当該記事のＵＲＬ及び記事情報が組み込まれたページを作成し、作成したページを端末装置に対して提供するように構成したので、トラックバック元の記事の一覧（トラックバック一覧）を、情報項目を共通にする複数のページに亘って、より効率良く、迅速に掲載することができる。よって、ユーザの不便さを解消でき、しかもサーバ装置の負担も少なく、加えて従来技術のように、記事を閲覧するユーザにとって却って見難い（或いは見るための操作が煩わしい）ということもない。更に、情報項目を共通にする複数のページ上に掲載される記事の夫々にリンクを張りつつ自身の同様のコメントを書き込んだ記事を作成したいユーザにとって、夫々のページに掲載される記事毎に、自身の記事を作成しなくても、１回の記事作成により、当該複数のページ上に自身の記事をトラックバックしてトラックバック一覧に掲載させることができる。
【００１２】
請求項３に記載の発明は、請求項２に記載のサーバ装置において、特定の前記情報項目に対して付されたトラックバックＵＲＬに関連付けられた前記記事のＵＲＬ及び記事情報は、当該情報項目を共通にする前記複数のページに組み込まれることを特徴とする。
【００１３】
請求項４に記載の発明は、請求項２又は３に記載のサーバ装置において、前記記事情報取得手段は、前記取得した前記記事のＵＲＬ及び記事情報が複数ある場合には、夫々の前記記事に対するアクセス数を示すアクセス数情報を更に取得し、前記ページ作成手段は、前記記事のＵＲＬ及び記事情報と共に前記アクセス数情報が組み込まれたページを作成することを特徴とする。
【００１４】
この発明によれば、ユーザは、当該アクセス数によって、参考（例えば、最もアクセス数が多い記事を参考）にする記事情報を選択することができる。
【００１５】
請求項５に記載の発明は、請求項２又は３に記載のサーバ装置において、前記記事情報取得手段は、前記取得した前記記事のＵＲＬ及び記事情報が複数ある場合には、夫々の前記記事に対するアクセス数を示すアクセス数情報を更に取得し、前記取得された夫々の前記アクセス数情報に示されるアクセス数を比較するアクセス数比較手段を更に備え、前記ページ作成手段は、前記比較されたアクセス数に応じた順序で前記記事情報が前記ページ上に掲載されるように前記記事のＵＲＬ及び記事情報を組み込んで前記ページを作成することを特徴とする。
【００１６】
この発明によれば、アクセス数の多い記事情報が見易い位置にくるので、ユーザはその記事情報を参考にし易い。
【００１７】
請求項６に記載の発明は、請求項４又は５に記載のサーバ装置において、前記提供された前記ページに組み込まれた記事のＵＲＬが前記端末装置において指定された回数を、前記記事毎にカウントするカウント手段を更に備え、前記記事情報取得手段は、前記カウントされた回数を示す情報を前記記事に対するアクセス数情報として取得することを特徴とする。
【００１８】
この発明によれば、請求項２に記載のサーバ装置を、より効率良くサポートすることができる。
【００１９】
請求項７に記載の発明は、請求項２又は３に記載のサーバ装置において、前記ページは、複数の前記端末装置のユーザ毎に設定されており、前記ユーザにより選択された所望の記事作成者を示す記事作成者情報を前記ユーザに判別可能に記憶する記事作成者情報記憶手段を更に備え、前記ページ作成手段は、前記取得された前記記事のＵＲＬ及び記事情報が複数ある場合には、これらの記事の記事作成者のうち、前記ページ要求をした前記端末装置のユーザの前記記事作成者情報に示される記事作成者の前記記事情報が優先的に前記ページ上に掲載されるように前記記事のＵＲＬ及び記事情報を組み込んで前記ページを作成することを特徴とする。
【００２０】
この発明によれば、過去に参照した記事の中で最も参考になった記事作成者の記事を、その後も優先して閲覧することができる。
【００２１】
請求項８に記載の発明は、請求項２乃至７の何れか一項に記載のサーバ装置であって、前記情報項目は、順位が競われるレースであり、前記ページは、複数の前記端末装置のユーザ毎に設定され、前記レースへの複数の出場対象のうち１以上の出場対象が前記ユーザにより選択可能なページであることを特徴とする。
【００２２】
この発明によれば、複数の人のレースに関する記事を、当該ページ上で効率良く閲覧することができるので、当該レースへの複数の出場対象のうち１以上の出場対象の選択をし易くすることができる。
【００２３】
請求項９に記載の発明は、請求項２に記載のサーバ装置にネットワークを介して接続され、前記データベースを備える管理装置であって、前記サーバ装置からの前記情報項目の指定を含む記事要求を受信する記事要求受信手段と、前記記事要求にて指定された前記情報項目に対して付されたトラックバックＵＲＬに関連付けられた前記記事のＵＲＬ及び記事情報を前記データベースから取得し、これを前記サーバ装置に対して送信する記事情報送信手段と、を備えることを特徴とする。
【００２４】
請求項１０に記載のサーバ処理プログラムの発明は、請求項２乃至８の何れか一項に記載のサーバ装置として機能させることを特徴とする。
【００２５】
請求項１１に記載の管理処理プログラムの発明は、請求項９に記載の管理装置として機能させることを特徴とする。
【００２６】
請求項１２に記載の発明は、ネットワーク介して接続された前記端末装置に対して所定の情報を掲載したページを提供するサーバ装置と、ＵＲＬの異なる複数のページ間で共通する情報項目に対して付されたトラックバックＵＲＬと、当該トラックバックＵＲＬに関連付けられた記事のＵＲＬ及び記事情報と、を互いに異なる複数の情報項目毎に判別可能に登録するデータベースと、を備えるネットワークシステムにおけるページ提供方法であって、前記サーバ装置が、異なる複数のページのデータを記憶する工程と、前記端末装置からのページ要求を受信する工程と、前記要求されたページのデータを取得する工程と、前記要求されたページに対応する前記情報項目に対して付されたトラックバックＵＲＬに関連付けられた前記記事のＵＲＬ及び記事情報を取得する工程と、前記取得されたページのデータと前記取得された記事のＵＲＬ及び記事情報とに基づいて、前記記事のＵＲＬ及び記事情報が組み込まれたページを作成する工程と、前記作成されたページを前記端末装置に対して提供する工程と、を備えることを特徴とする。
【発明の効果】
【００２７】
本発明によれば、トラックバック元の記事の一覧（トラックバック一覧）を、情報項目を共通にする複数のページに亘って、より効率良く、迅速に掲載することができる。よって、ユーザの不便さを解消でき、しかもサーバ装置の負担も少なく、加えて従来技術のように、記事を閲覧するユーザにとって却って見難い（或いは見るための操作が煩わしい）ということもない。更に、情報項目を共通にする複数のページ上に掲載される記事の夫々にリンクを張りつつ自身の同様のコメントを書き込んだ記事を作成したいユーザにとって、夫々のページに掲載される記事毎に、自身の記事を作成しなくても、１回の記事作成により、当該複数のページ上に自身の記事をトラックバックしてトラックバック一覧に掲載させることができる。
【発明を実施するための最良の形態】
【００２８】
次に、本発明を実施するための最良の形態について、図面に基づいて説明する。なお、以下に説明する実施形態は、端末装置と、ネットワークを介して接続された前記端末装置に対して所定の情報を掲載したページを提供するサーバ装置と、を備えるネットワークシステムに対して本発明を適用した場合の実施の形態である。
【００２９】
［１．ネットワークシステムの構成及び機能］
先ず、本実施形態に係るネットワークシステムＳの構成及び機能について、図１等を用いて説明する。
【００３０】
図１は、本実施形態に係るネットワークシステムＳの概要構成例を示す図である。
【００３１】
図１に示すように、ネットワークシステムＳは、ブログサーバＢＳ、トラックバックサーバＴＳ（管理装置の一例）、競馬情報サーバＫＳ（サーバ装置の一例）、及びユーザ端末（端末装置の一例）ＵＴｍ（ｍ＝１，２・・・ｋ）等を備え、これらがネットワークＮＷを介して相互にデータの授受が可能となるように接続されて構成されている。
【００３２】
なお、ネットワークＮＷは、例えば、イントラネット、インターネットの他、専用通信回線（例えば、ＣＡＴＶ（Community Antenna Television）回線）、移動体通信網（基地局等を含む）、及びゲートウェイ等により構築されており、通信プロトコルとしては、例えば、ＴＣＰ／ＩＰ（Transmission Control Protocol/Internet Protocol）、ＴＣＰ／ＩＰを移動体通信網に合わせたプロトコル等が用いられる。
【００３３】
また、ブログサーバＢＳ、トラックバックサーバＴＳ、及び競馬情報サーバＫＳには、固有のＩＰ（Internet Protocol）アドレス（グローバルＩＰアドレス）が割り当てられている。また、ブログサーバＢＳはブログサイトを構成し、競馬情報サーバＫＳは、競馬情報サイトを構成する。
【００３４】
一方、ユーザ端末ＵＴｍは、例えばインターネットサービスプロバイダのサーバを通じてネットワークＮＷに接続可能になっており、当該ネットワークＮＷに接続する際、固有のＩＰアドレスが割り当てられるようになっている。
【００３５】
［１−１．ブログサーバＢＳの構成及び機能等］
次に、ブログサーバＢＳの構成及び機能の詳細について、図２を用いて説明する。
【００３６】
図２は、ブログサーバＢＳの概要構成の一例を示すブロック図である。
【００３７】
図２に示すように、ブログサーバＢＳは、操作部１１、表示部１２、通信部１３、ドライブ部１４、記憶部１５、入出力インタフェース部１６、及びシステム制御部１７等を備えており、システム制御部１７と入出力インタフェース部１６とは、システムバス１８を介して接続されている。
【００３８】
操作部１１は、例えば、キーボード及びマウス等からなり、管理者等からの操作指示を受け付け、その指示内容を指示信号としてシステム制御部１７に出力する。
【００３９】
表示部１２は、例えば、ＣＲＴ（Cathode Ray Tube）ディスプレイ、液晶ディスプレイ等からなり、文字や画像等の情報を表示する。
【００４０】
通信部１３は、ネットワークＮＷに接続してユーザ端末ＵＴｍ及びトラックバックサーバＴＳ等との通信状態を制御する。
【００４１】
ドライブ部１４は、例えば、フレキシブルディスク、ＣＤ（Compact Disc）、ＤＶＤ（Digital Versatile Disc）等のディスクＤＫ（記録媒体）からデータ等を読み出す一方、当該ディスクＤＫに対してデータ等を記録する。
【００４２】
入出力インタフェース部１６は、操作部１１乃至記憶部１５とシステム制御部１７との間のインタフェース処理を行う。
【００４３】
記憶部１５は、例えば、ハードディスクドライブ等からなり、オペレーティングシステム（Ｏ／Ｓ），各種プログラム（例えば、ユーザ端末ＵＴｍから送信された要求（ＨＴＴＰプロトコルに基づくリクエスト）に応じた処理を実行するためのＷＷＷ（World Wide Web）サーバプログラム等を含む）、及びデータ（例えば、ブログページ及び記事作成ページを構成するためのデータ（例えば、ＨＴＭＬ（Hyper Text Markup Language）データ等からなる）等を記憶する。
【００４４】
更に、記憶部１５には、各ブログ開設者に関する情報を登録するためのブログデータベース（ＤＢ）１５１が構築されている。
【００４５】
かかるブログデータベース１５１には、図２に示すように、ブログ開設者のユーザＩＤ、パスワード、プロフィール（例えば、年齢、性別、ニックネーム等）、ブログページの設定情報（ブログページのＵＲＬ等を含む）、ブログページへのアクセス数（つまり、ブログページのＵＲＬへのアクセス数）、ブログページに掲載される記事に関する情報（例えば、記事のＵＲＬ、記事の本文、記事のタイトル、記事の要約（例えば、記事の本文の所定データ量（例えば255バイト）以上が削除された部分。記事の本文が所定データ量以下の場合、当該本文と要約は同じ）、記事のジャンル、記事のアクセス数（つまり、記事のＵＲＬへのアクセス数）、及び記事に添付される画像データ等）等が互いに対応付けられ、ブログ開設者毎に判別可能に登録されている。なお、上記記事がトラックバックされている場合には、当該記事に対応付けられて、トラックバック元の記事のＵＲＬ及び記事情報（例えば、記事のタイトル及び記事の要約等（記事作成者を示すユーザＩＤ又はニックネームを含めても良い））が登録される。一方、当該記事がトラックバック元である場合、トラックバック先の記事のトラックバックＵＲＬが登録される。
【００４６】
システム制御部１７は、ＣＰＵ（Central Processing Unit）１７ａ，ＲＯＭ（Read Only Memory）１７ｂ，及びＲＡＭ（Random Access Memory）１７ｃ等を備え、ＣＰＵ１７ａが、ＲＯＭ１７ｂや記憶部１５に記憶された上記各種プログラムを読み出し実行することにより、ブログサーバＢＳの各部を制御し、ネットワークＮＷを介して接続されたユーザ端末ＵＴｍからのログイン要求に応じて認証処理等を実行したり、ユーザ端末ＵＴｍからのページ要求に応じて当該ブログページ等を提供する処理等を実行する。
【００４７】
また、システム制御部１７は、当該ユーザ端末ＵＴｍからの記事登録要求に応じて当該ユーザ端末ＵＴｍのユーザのユーザＩＤに対応付けて記事に関する情報をブログデータベース１５１に登録する処理を実行するようになっており、このとき、当該記事登録要求に後述するレースのトラックバックＵＲＬが付加されていた場合には、トラックバックサーバＴＳに対して、その対象レースのトラックバックＵＲＬへの記事登録要求（つまり、対象レースのトラックバックＵＲＬへのトラックバック）を行う処理を実行する。
【００４８】
［１−２．トラックバックサーバＴＳの構成及び機能等］
次に、トラックバックサーバＴＳの構成及び機能の詳細について、図３を用いて説明する。
【００４９】
図３は、トラックバックサーバＴＳの概要構成の一例を示すブロック図である。
【００５０】
図３に示すように、トラックバックサーバＴＳは、操作部２１、表示部２２、通信部２３、ドライブ部２４、記憶部２５、入出力インタフェース部２６、及びシステム制御部２７等を備えており、システム制御部２７と入出力インタフェース部２６とは、システムバス２８を介して接続されている。
【００５１】
なお、操作部２１、表示部２２、通信部２３、ドライブ部２４、記憶部２５、及び入出力インタフェース部２６の基本的構成は、上述したブログサーバＢＳにおける操作部１１、表示部１２、通信部１３、ドライブ部１４、記憶部１５、及び入出力インタフェース部１６と同様である。
【００５２】
記憶部２５には、オペレーティングシステム（Ｏ／Ｓ），各種プログラム（本発明の管理処理プログラム等を含む）及びデータ等が記憶されている。なお、本発明の管理処理プログラム等は、例えば、他のサーバ等からネットワークＮＷを介してダウンロードされるようにしても良いし、ＣＤ−ＲＯＭ等のディスクＤＫに記録されてドライブ部２４を介して読み込まれるようにしても良い。
【００５３】
更に、記憶部２５には、トラックバックデータベース（ＤＢ）２５１が構築されている。
【００５４】
かかるトラックバックデータベース２５１には、図３に示すように、異なる複数のウェブページ（例えば、対象ユーザ、ＵＲＬ、又は内容等が異なる）間で共通する情報項目の一例としてのレース（本実施形態においては、順位が競われる競馬のレース）に対して付されたトラックバックＵＲＬと、当該トラックバックＵＲＬに関連付けられた（リンクされた）記事のＵＲＬ及び記事情報と、を互いに異なる複数のレース毎に判別可能に登録されている。つまり、トラックバックＵＲＬは、競馬場毎かつレース毎に付されるようになっており、各レースのトラックバックＵＲＬは互いに異なっている。また、各レースに対して固有のレースＩＤ（各レースを区別するための識別情報）が付与されている。
【００５５】
システム制御部２７は、ＣＰＵ２７ａ，ＲＯＭ２７ｂ，及びＲＡＭ２７ｃ等を備え、ＣＰＵ２７ａが、ＲＯＭ２７ｂや記憶部２５に記憶された上記各種プログラムを読み出し実行することにより、トラックバックサーバＴＳの各部を制御し、ブログサーバＢＳからの対象レースのトラックバックＵＲＬへの記事登録要求（トラックバック通知）に応じて、当該記事登録要求に係る記事のＵＲＬ及び記事情報（例えば、記事のタイトル及び記事の要約等（記事作成者を示すユーザＩＤ又はニックネームを含めても良い））を、当該トラックバックＵＲＬに関連付けてトラックバックデータベース２５１に登録する処理を実行する。
【００５６】
また、システム制御部２７は、本発明における記事要求受信手段及び記事情報送信手段等として機能するようになっており、競馬情報サーバＫＳからの対象レースの指定（例えば、レースＩＤにより指定）を含む記事要求に応じて、当該記事要求にて指定された対象レースのトラックバックＵＲＬに関連付けられた記事のＵＲＬ及び記事情報（例えば、記事のタイトル及び記事の要約等（記事作成者を示すユーザＩＤ又はニックネームを含めても良い））をトラックバックデータベース２５１から取得し、これを競馬情報サーバＫＳに対して送信する処理を実行する。
【００５７】
［１−３．競馬情報サーバＫＳの構成及び機能等］
次に、競馬情報サーバＫＳの構成及び機能の詳細について、図４を用いて説明する。
【００５８】
図４は、競馬情報サーバＫＳの概要構成の一例を示すブロック図である。
【００５９】
図４に示すように、競馬情報サーバＫＳは、操作部３１、表示部３２、通信部３３、ドライブ部３４、ページデータ記憶手段及び記事作成者情報記憶手段の一例としての記憶部３５、入出力インタフェース部３６、及びシステム制御部３７等を備えており、システム制御部３７と入出力インタフェース部３６とは、システムバス３８を介して接続されている。
【００６０】
なお、操作部３１、表示部３２、通信部３３、ドライブ部３４、記憶部３５、及び入出力インタフェース部３６の基本的構成は、上述したブログサーバＢＳにおける操作部１１、表示部１２、通信部１３、ドライブ部１４、記憶部１５、及び入出力インタフェース部１６と同様である。
【００６１】
記憶部３５には、オペレーティングシステム（Ｏ／Ｓ），各種プログラム（例えば、ユーザ端末ＵＴｍから送信された要求（ＨＴＴＰプロトコルに基づくリクエスト）に応じた処理を実行するためのＷＷＷサーバプログラム、及び本発明のサーバ処理プログラム等）、及びデータ（例えば、レースに関する各種ページ等を構成するためのデータ（例えば、ＨＴＭＬデータ等からなる）等を記憶する。なお、本発明のサーバ処理プログラム等は、例えば、他のサーバ等からネットワークＮＷを介してダウンロードされるようにしても良いし、ＣＤ−ＲＯＭ等のディスクＤＫに記録されてドライブ部３４を介して読み込まれるようにしても良い。
【００６２】
更に、記憶部３５には、各レースに関する情報を登録するためのレースデータベース（ＤＢ）３５１、及び当該競馬情報サイトを利用する各会員に関する情報を登録するための会員データベース（ＤＢ）３５２が構築されている。
【００６３】
かかるレースデータベース３５１には、図４に示すように、レースのレースＩＤ、レースのトラックバックＵＲＬ（レースに対して付されたトラックバックＵＲＬ）、レースの順番（例えば、第５レース）、レースの場所（例えば、○○競馬場）、レースの開始予定時刻、レースの距離、及びレースに出走予定の馬に関する情報（枠番、馬番、馬名、及び騎手名等）等が互いに対応付けられ、レース毎に判別可能に登録されている。
【００６４】
また、会員データベース３５２には、図４に示すように、会員のユーザＩＤ、パスワード、プロフィール（例えば、年齢、性別、ニックネーム等）、レースの予想を示す予想情報等が互いに対応付けられ、会員毎に判別可能に登録されている。なお、各会員の予想情報は、各会員が予想登録したレース（例えば、２００６年２月２日の○○競馬場の第５レースと第６レース）との分だけ登録されるようになっており、当該予想情報には、当該レースのレースＩＤが含まれている。
【００６５】
システム制御部３７は、ＣＰＵ３７ａ，ＲＯＭ３７ｂ，及びＲＡＭ３７ｃ等を備え、ＣＰＵ３７ａが、ＲＯＭ３７ｂや記憶部３５に記憶された上記各種プログラムを読み出し実行することにより、競馬情報サーバＫＳの各部を制御し、ネットワークＮＷを介して接続されたユーザ端末ＵＴｍからのログイン要求に応じて認証処理等を実行する。
【００６６】
また、システム制御部３７は、本発明におけるページ要求受信手段、ページ取得手段、記事情報取得手段、ページ作成手段、及びページ提供手段等として機能するようになっている。より具体的には、システム制御部３７は、ネットワークＮＷを介して接続されたユーザ端末ＵＴｍからのページ要求に応じて当該要求されたウェブページを提供する処理等を実行するが、このとき、当該ページ要求が、特定のレースに関するページの要求である場合（例えば、当該ページ要求に特定のレースのレースＩＤが付加されている場合）、トラックバックサーバＴＳに対して、当該レースの指定（例えば、レースＩＤにより指定）を含む記事要求を行い、当該レースのトラックバックＵＲＬに関連付けられた記事のＵＲＬ及び記事情報（例えば、記事のタイトル及び記事の要約等（記事作成者を示すユーザＩＤ又はニックネームを含めても良い））を当該トラックバックサーバＴＳから取得（言い換えれば、当該記事のＵＲＬ及び記事情報をトラックバックサーバＴＳを介してトラックバックデータベース２５１から取得）する処理を実行する。ここで、上記特定のレースに関するページとしては、例えば、○○競馬場で行われる第Ｎ（Ｎは自然数）レースのレース情報ページ（各会員共通のページ）や、第Ｎレースのマイ予想ページ（各会員個別のページ）等が該当する。
【００６７】
そして、システム制御部３７は、上記要求された特定のレースに関するページのデータ（レースデータベース３５１に登録された当該レースに関する情報等を含む）を取得し、当該ページのデータと上記取得した記事のＵＲＬ及び記事情報とに基づいて、当該記事のＵＲＬ及び記事情報が組み込まれたページを作成し、当該作成したページを上記ユーザ端末ＵＴｍに対して提供する処理等を実行する。
【００６８】
このように、特定のレースに対して付されたトラックバックＵＲＬに関連付けられた記事のＵＲＬ及び記事情報は当該レースを共通にする複数のページに組み込まれることになり、当該記事情報が複数のページに亘ってトラックバック一覧として掲載されることになる。
【００６９】
［１−４．ユーザ端末ＵＴｍの構成及び機能等］
次に、ユーザ端末ＵＴｍの構成及び機能の詳細について、図５等を用いて説明する。
【００７０】
図５は、ユーザ端末ＵＴｍの概要構成の一例を示すブロック図である。
【００７１】
図５に示すように、ユーザ端末ＵＴｍは、操作部４１、表示部４２、通信部４３、ドライブ部４４、記憶部４５、入出力インタフェース部４６、及びシステム制御部４７等を備えており、システム制御部４７と入出力インタフェース部４６とは、システムバス４８を介して接続されている。このユーザ端末ＵＴｍとしては、汎用のパーソナルコンピュータの他、携帯電話機、ＰＤＡ等を適用可能である。
【００７２】
なお、操作部４１、表示部４２、通信部４３、ドライブ部４４、記憶部４５、及び入出力インタフェース部４６の基本的構成は、上述したブログサーバＢＳにおける操作部１１、表示部１２、通信部１３、ドライブ部１４、記憶部１５、及び入出力インタフェース部１６と同様である。
【００７３】
記憶部４５には、オペレーティングシステム（Ｏ／Ｓ），各種プログラム（ウェブブラウザソフト等）及びデータ等を記憶する。
【００７４】
そして、システム制御部４７は、ウェブブラウザソフトを起動し、所定のＵＲＬを指定することで、ブログサーバＢＳや競馬情報サーバＫＳに接続し、ページ要求を行って各種ページの提供を受け、これを表示部４２に表示するようになっている。
【００７５】
図６は、競馬情報サーバＫＳから提供され、ユーザ端末ＵＴ１の表示部４２における表示画面上に表示された各種ページの表示遷移例を示す図である。なお、ここでは、ユーザ端末ＵＴ１を例にとって説明するがその他のユーザ端末ＵＴｍにおいても同様である。また、図６に示す例は、ユーザ端末ＵＴ１のユーザがユーザＩＤ及びパスワードを用いてログインした後の表示例である。
【００７６】
図６（Ａ）に示す競馬トップページ１００には、レース情報ページ選択部１００ａ及びマイ予想ページ選択部１００ｂが設けられており、夫々の選択部１００ａ，１００ｂにおいて、ユーザは操作部４１により、所望のレース（レースの順番）を示す文字（例えば、“５Ｒ”は第５レースを示す）指定することが可能になっている（各レースを示す文字には、夫々のレースＩＤを含むＵＲＬが埋め込まれている）。
【００７７】
例えば、レース情報ページ選択部１００ａにおいて、ユーザ（ニックネーム：ＸＹＺ）が閲覧したい対象レースとして、符号１００ａｂに示す“５Ｒ”（第５レース）を操作部４１により指定（例えば、マウスによりクリック）すると、システム制御部４７（ブラウザ）は、当該対象レースのレース情報ページのＵＲＬにしたがい競馬情報サーバＫＳに対してページ要求する処理を実行する。これにより、当該対象レースのレース情報ページが競馬情報サーバＫＳからユーザ端末ＵＴ１に提供（送信）され、図６（Ｂ）に示すような対象レース（この例では、第５レース）のレース情報ページ１０１が、ユーザ端末ＵＴ１の表示画面上に表示されることになる。
【００７８】
図６（Ｂ）に示す対象レースのレース情報ページ１０１には、当該対象レース（この例では、第５レース）の開始予定時刻（発走予定）、距離、及び出走予定の馬に関する情報（枠番、馬番、馬名、及び騎手名等）等を表示するレース情報表示部１０１ａが設けられている。これにより、ユーザは、対象レースの詳細情報を閲覧することができる。
【００７９】
そして、当該レース情報ページ１０１の符号１０１ｂ部には、当該レースのトラックバックＵＲＬが表示され、更に、符号１０１ｃ部には、当該レースのトラックバックＵＲＬに対してトラックバックされた記事の記事情報（記事のタイトル及び要約）がトラックバック一覧に表示（掲載）されている（上述したトラックバックサーバＴＳ及び競馬情報サーバＫＳの処理による）。なお、当該記事のタイトル及び要約と共に、記事作成者を示すユーザＩＤ又はニックネームを掲載しても良い。また、トラックバック一覧に掲載された記事のタイトル（例えば、“第５レース”）には当該記事のＵＲＬが埋め込まれており、これを、ユーザが操作部４１により指定（例えばマウスによりクリック）すると、システム制御部４７（ブラウザ）は、当該記事のＵＲＬにしたがってブログサーバＢＳに接続し、ページ要求する処理を実行する（このとき、当該記事のＵＲＬが指定されたことを示す情報が、競馬情報サーバＫＳに送信されることになる）。これにより、当該記事を掲載するブログページ（図示せず）が、ブログサーバＢＳからユーザ端末ＵＴ１に提供され表示画面上に表示されることになる。
【００８０】
一方、マイ予想ページ選択部１００ｂにおいて、ユーザが予想したい対象レースとして、符号１００ｂａに示す“５Ｒ”（第５レース）を操作部４１により指定（例えば、マウスによりクリック）すると、システム制御部４７（ブラウザ）は、当該対象レースのマイ予想ページのＵＲＬにしたがい競馬情報サーバＫＳに対してページ要求する処理を実行する。これにより、当該対象レースのマイ予想ページが競馬情報サーバＫＳからユーザ端末ＵＴ１に提供（送信）され、図６（Ｃ）に示すような対象レース（この例では、第５レース）のマイ予想ページ１０２が、ユーザ端末ＵＴ１の表示画面上に表示されることになる。なお、当該マイ予想ページは、ユーザ毎に設定されるページである。
【００８１】
図６（Ｃ）に示す対象レースのマイ予想ページ１０２では、ユーザは選択ボタン１０２ａを例えばマウスによりクリックすることにより、自身の予想として、本命（◎）、対抗（○）、単穴（▲）、連穴（△）等を選択することができる（つまり、レースへの複数の出場対象（ここでは、馬）のうち１以上の出場対象がユーザにより選択（予想のための選択）可能になっている）と共に、コメント入力欄１０２ｂに自身のコメントを入力することができる。このとき、当該対象レースのマイ予想ページ１０２にも、当該レース情報ページ１０１と同様、当該レースのトラックバックＵＲＬに対してトラックバックされた記事の記事情報（タイトル及び要約）がトラックバック一覧に表示（掲載）されているので、当該ユーザはこれを参考にしてレースの予想を行うことができる。ユーザが、当該トラックバック一覧に掲載された記事の詳細を閲覧したい場合には、当該記事のタイトルを例えばマウスによりクリックして、当該記事が掲載されたブログページを表示させれば良い。
【００８２】
こうして本命及び対抗等の予想が選択等された後、ユーザが予想登録ボタン１０２ｃを例えばマウスによりクリックすると、当該レースの予想（例えば、本命馬、対抗馬等）を示す予想情報（当該ユーザのユーザＩＤ、及び当該レースのレースＩＤを含む）が、ユーザ端末ＵＴ１から競馬情報サーバＫＳに送信され会員データベース３５２に登録されることになる。
【００８３】
なお、上記対象レースの予想情報が登録された後に、ユーザが、マイ予想ページ選択部１００ｂにおいて、当該対象レースを指定すると、競馬情報サーバＫＳからは図６（Ｄ）に示すような当該対象レースのマイ予想ページが提供され表示画面上に表示されることになる。
【００８４】
図６（Ｄ）に示す対象レースのマイ予想ページ１０３では、既に予想された内容（本命（◎）、対抗（○）等）が反映されており、更に、レース結果表示部１０３ａが設けられるようになっている（コメント入力欄１０２ｂに入力されたコメントを表示しても良い）。このレース結果表示部１０３ａには、当該レース終了後に、マイ予想ページ選択部１００ｂにおいて当該対象レースが指定された場合に、当該レースの結果（例えば、１着〜３着までの馬名及び馬番等）が表示されるようになっている。これによりユーザは、自身の予想が的中したかを判断することができる。
【００８５】
［２．ネットワークシステムの動作］
先ず、本実施形態に係るネットワークシステムＳの動作について、図７及び図８等を用いて説明する。
【００８６】
図７は、本実施形態に係るネットワークシステムＳにおける処理の流れを示したシーケンス図であり、図８は、図７に示す処理の流れにおいて、ユーザ端末ＵＴ１等の表示画面上に表示された各種ページの表示遷移例を示す図である。
【００８７】
先ず、例えばユーザ端末ＵＴ１においてブラウザが起動され、競馬トップページのＵＲＬが指定されることにより競馬情報サーバＫＳから提供された当該競馬トップページの表示状態において、ユーザ（ニックネーム：ＸＹＺ）が上述したように、閲覧したい対象レースを指定（例えば、図６（Ａ）のレース情報ページ選択部１００ａにおける符号１００ａｂに示す“５Ｒ”（第５レース）をマウスによりクリック）すると、図７に示すように、当該対象レースのレース情報ページのページ要求（ページ要求を示す情報）が通信部４３及びネットワークＮＷを介して競馬情報サーバＫＳに送信される（ステップＳ１）。
【００８８】
次いで、競馬情報サーバＫＳは、当該ページ要求を受信すると、当該対象レースの指定（例えば、レースＩＤにより指定）を含む記事要求を、通信部３３及びネットワークＮＷを介してトラックバックサーバＴＳに送信する（ステップＳ２）。
【００８９】
次いで、トラックバックサーバＴＳは、当該記事要求を受信すると、当該記事要求にて指定された対象レースのトラックバックＵＲＬに関連付けられた記事のＵＲＬ及び記事情報（例えば、記事のタイトル及び記事の要約等（記事作成者を示すユーザＩＤ又はニックネームを含めても良い））をトラックバックデータベース２５１から取得し（ステップＳ３）、これを通信部２３及びネットワークＮＷを介して競馬情報サーバＫＳに対して送信する（ステップＳ４）。
【００９０】
次いで、競馬情報サーバＫＳは、当該記事のＵＲＬ及び記事情報を受信（取得）すると、上記対象レースのレース情報ページのデータ（レースデータベース３５１に登録された当該レースに関する情報等を含む）を記憶部３５から取得し、当該ページのデータと上記取得した記事のＵＲＬ及び記事情報とに基づいて、当該記事のＵＲＬ及び記事情報（例えば、記事のタイトル及び記事の要約等（記事作成者を示すユーザＩＤ又はニックネームを含めても良い））が組み込まれたレース情報ページを作成（このときトラックバック一覧が生成される）し（ステップＳ５）、当該作成したレース情報ページを、通信部３３及びネットワークＮＷを介してユーザ端末ＵＴ１に提供（送信）する（ステップＳ６）。
【００９１】
そして、ユーザ端末ＵＴ１は、当該対象レースのレース情報ページを受信すると、これを表示部４２の表示画面上に表示する（ステップＳ７、図８（Ａ））。このような表示状態において、当該ユーザは、当該対象レースのレース情報ページ１０１上に表示された当該レースのトラックバックＵＲＬをコピー（又はメモ）しておく。なお、図８（Ａ）に示すレース情報ページ１０１上におけるトラックバック一覧には、記事１と記事２の二つの記事が掲載されている。
【００９２】
次に、ユーザ端末ＵＴ１がブログサーバＢＳに接続してログインが行われた後、当該ユーザ端末ＵＴ１のユーザが操作部４１を操作して自身のブログページのＵＲＬをブラウザにて指定すると、当該ブログページのページ要求が通信部４３及びネットワークＮＷを介してブログサーバＢＳに送信される（ステップＳ８）。
【００９３】
次いで、ブログサーバＢＳは、当該ページ要求を受信すると、ユーザ端末ＵＴ１のユーザのユーザＩＤに対応するブログページの設定情報、プロフィール、及びブログページに掲載される記事に関する情報をブログデータベース１５１から取得して当該要求されたユーザのブログページを作成し（ステップＳ９）、これを通信部１３及びネットワークＮＷを介してユーザ端末ＵＴ１に提供（送信）する（ステップＳ１０）。
【００９４】
そして、ユーザ端末ＵＴ１は、当該ブログページを受信すると、これを表示部４２の表示画面上に表示する（ステップＳ１１、図示せず）。こうして表示されたブログページ上に設けられた記事作成ボタンを、当該ユーザ端末ＵＴ１のユーザが操作部４１を操作して指定すると、記事作成ページのページ要求が通信部４３及びネットワークＮＷを介してブログサーバＢＳに送信される（ステップＳ１２）。
【００９５】
次いで、ブログサーバＢＳは、当該ページ要求を受信すると、記事作成ページを作成し（ステップＳ１３）、これを通信部１３及びネットワークＮＷを介してユーザ端末ＵＴ１に提供（送信）する（ステップＳ１４）。
【００９６】
そして、ユーザ端末ＵＴ１は、当該記事作成ページを受信すると、これを表示部４２の表示画面上に表示する（ステップＳ１５、図８（Ｂ））。こうして表示された記事作成ページ上１１１において、当該ユーザ端末ＵＴ１のユーザが操作部４１を操作して、記事のタイトル入力欄１１１ａに記事のタイトルを入力し、記事の本文入力欄１１１ｂに記事の本文を入力し、更に、トラックバックＵＲＬ入力欄１１ｃに上記対象レースのトラックバックＵＲＬ（上記ステップＳ７においてコピー（又はメモ）しておいたトラックバックＵＲＬ）を入力した（貼付）後、記事登録ボタン１１１ｄを指定すると、記事のタイトル、記事の本文、対象レースのトラックバックＵＲＬ、及び当該ユーザのユーザＩＤを含む記事登録要求が、通信部４３及びネットワークＮＷを介してブログサーバＢＳに送信される（ステップＳ１６）。
【００９７】
次いで、ブログサーバＢＳは、当該記事登録要求を受信すると、当該記事登録要求に係る記事に対してＵＲＬを設定し、当該記事のＵＲＬと、当該記事登録要求に含まれる記事のタイトル、記事の本文及び対象レースのトラックバックＵＲＬとを、当該記事登録要求に含まれるユーザＩＤに対応付けて記事に関する情報としてブログデータベース１５１に登録する（ステップＳ１７）。
【００９８】
次いで、ブログサーバＢＳは、上記記事登録要求に含まれる対象レースのトラックバックＵＲＬへの記事登録要求（上記記事のＵＲＬ及び記事情報（例えば、記事のタイトル及び記事の要約等（記事作成者を示すユーザＩＤ又はニックネームを含めても良い）を含む））を、通信部１３及びネットワークＮＷを介してトラックバックサーバＴＳに送信する（ステップＳ１８）。
【００９９】
次いで、トラックバックサーバＴＳは、対象レースのトラックバックＵＲＬへの記事登録要求を受信すると、当該記事登録要求に含まれる記事（記事３）のＵＲＬ及び記事情報を、当該トラックバックＵＲＬに関連付けてトラックバックデータベース２５１に新たに登録する（ステップＳ１９）。
【０１００】
こうして、記事のＵＲＬ及び記事情報が、対象レースのトラックバックＵＲＬに関連付けられて登録された後、例えばユーザ端末ＵＴ１（他のユーザ端末ＵＴｍでも良い）が、上述したステップＳ１のように当該対象レースのレース情報ページのページ要求（ページ要求を示す情報）を競馬情報サーバＫＳに行うと、ステップＳ２〜Ｓ６の処理を経て、当該対象レースのレース情報ページが、図８（Ｃ）に示すようにユーザ端末ＵＴ１の表示画面上に表示され、上記新たに登録された記事（記事３）の記事情報がトラックバック一覧に掲載されることになる。
【０１０１】
次に、例えばユーザ端末ＵＴ２においてブラウザが起動され、競馬トップページのＵＲＬが指定されることにより競馬情報サーバＫＳから提供された当該競馬トップページの表示状態において（ログイン後）、ユーザ（ニックネーム：ＡＢＣ）が予想したい対象レースを指定（例えば、図６（Ａ）のマイ予想ページ選択部１００ｂにおける符号１００ｂａに示す“５Ｒ”（第５レース）をマウスによりクリック）すると、当該対象レースのマイ予想ページのページ要求が通信部４３及びネットワークＮＷを介して競馬情報サーバＫＳに送信される（ステップＳ２０）。
【０１０２】
次いで、競馬情報サーバＫＳは、当該ページ要求を受信すると、当該対象レースの指定（例えば、レースＩＤにより指定）を含む記事要求を、通信部３３及びネットワークＮＷを介してトラックバックサーバＴＳに送信する（ステップＳ２１）。なお、ステップＳ２２及びＳ２３の処理は、上述したステップＳ３及びＳ４と同様である。
【０１０３】
次に、競馬情報サーバＫＳは、記事のＵＲＬ及び記事情報（例えば、記事のタイトル及び記事の要約等（記事作成者を示すユーザＩＤ又はニックネームを含めても良い））を受信（取得）すると、上記対象レースのマイ予想ページのデータを記憶部３５から取得し、当該ページのデータと上記取得した記事のＵＲＬ及び記事情報とに基づいて、当該記事のＵＲＬ及び記事情報が組み込まれたマイ予想ページを作成し（ステップＳ２４）、当該作成したレース情報ページを、通信部３３及びネットワークＮＷを介してユーザ端末ＵＴ２に提供（送信）する（ステップＳ２５）。
【０１０４】
そして、ユーザ端末ＵＴ２は、当該対象レースのマイ予想ページを受信すると、これを表示部４２の表示画面上に表示する（ステップＳ２６、図８（Ｄ））。
【０１０５】
以上説明したように、上記実施形態によれば、競馬情報サーバＫＳは、ユーザ端末ＵＴｍからページ要求を受信した場合に、当該ページ要求が、特定のレースに関するページ（当該レースのレース情報ページや当該レースのマイ予想ページ）の要求である場合、トラックバックサーバＴＳに対して、当該レースの指定を含む記事要求を行い、当該レースのトラックバックＵＲＬに関連付けられた記事のＵＲＬ及び記事情報を当該トラックバックサーバＴＳから取得し、当該特定のレースに関するページのデータ、並びに取得した記事のＵＲＬ及び記事情報に基づいて、当該記事のＵＲＬ及び記事情報が組み込まれたページを作成し、当該作成したページを上記ユーザ端末ＵＴｍに対して提供するように構成したので、トラックバック元の記事の一覧（トラックバック一覧）を、情報項目（ここでは、レース）を共通にする複数のページに亘って、より効率良く、迅速に掲載することができる。よって、ユーザの不便さを解消でき、しかも競馬情報サーバＫＳの負担も少なく、加えて従来技術のように、記事を閲覧するユーザにとって却って見難い（或いは見るための操作が煩わしい）ということもない。
【０１０６】
更に、情報項目（ここでは、レース）を共通にする複数のページ上に掲載される記事の夫々にリンクを張りつつ自身の同様のコメントを書き込んだ記事を作成したいユーザにとって、夫々のページに掲載される記事毎に、自身の記事を作成しなくても、１回の記事作成により、当該複数のページ上に自身の記事をトラックバックしてトラックバック一覧に掲載させることができる。
【０１０７】
また、通常、ブログサーバＢＳは様々な業者により運営され、様々なブログページが存在するが、上記実施形態によれば、各ユーザ（会員）は、様々なブログ開設者からのレースの予想を、自身のマイ予想ページに掲載し閲覧することができるので、当該レースの予測の的中率を向上させることができる。
【０１０８】
なお、上記実施形態におけるステップＳ５及びステップＳ２４において、競馬情報サーバＫＳは、取得した記事のＵＲＬ及び記事情報が複数ある場合には、夫々の記事に対するアクセス数（当該記事のＵＲＬへのアクセス数）を示すアクセス数情報を取得し、当該記事のＵＲＬ及び記事情報と共にアクセス数情報が組み込まれたレース情報ページ又はマイ予想ページを作成して、これをユーザ端末ＵＴｍに提供するように構成しても良い。この構成によれば、ユーザ端末ＵＴｍの表示画面上に表示されるレース情報ページ又はマイ予想ページには、各記事情報に対応付けられてアクセス数が掲載されることになる。
【０１０９】
ここで、競馬情報サーバＫＳのシステム制御部４７（カウント手段の一例）は、例えば、レース情報ページ及びマイ予想ページに掲載されたトラックバック一覧に掲載された記事のタイトルに埋め込まれたＵＲＬが指定された回数を記事毎にカウントし（当該記事のＵＲＬが指定された場合、その旨を示す情報が競馬情報サーバＫＳに送信されるので、これをカウントする）、当該カウントした回数を示す情報を上記記事に対するアクセス数情報として取得する。別の例として、競馬情報サーバＫＳは、取得した夫々の記事のＵＲＬにしたがってブログサーバＢＳに接続し、夫々の記事に対するアクセス数（当該記事のＵＲＬへのアクセス数）を示すアクセス数情報を当該ブログサーバＢＳから取得するように構成しても良い。
【０１１０】
図９（Ａ）は、記事情報と共にアクセス数が掲載されたマイ予想ページのユーザ端末ＵＴｍにおける表示例を示す図である。図９（Ａ）に示すように、マイ予想ページ２０１におけるトラックバック一覧における記事情報の近傍には当該記事へのアクセス数が表示されている。これにより、ユーザは、当該アクセス数によって、レースの予想を行う上で参考（例えば、最もアクセス数が多い記事を参考）にする記事情報を選択することができる。
【０１１１】
更に、競馬情報サーバＫＳは、取得した記事のＵＲＬ及び記事情報が複数ある場合には、ブログサーバＢＳに接続して夫々の記事に対するアクセス数を示すアクセス数情報を取得（上記と同様）し、取得した夫々のアクセス数を比較し、当該比較したアクセス数に応じた順序で記事情報がレース情報ページ又はマイ予想ページ上に掲載されるように当該記事のＵＲＬ及び記事情報を組み込んで当該レース情報ページ又はマイ予想ページを作成して、これをユーザ端末ＵＴｍに提供するように構成しても良い。この構成によれば、ユーザ端末ＵＴｍの表示画面上に表示されるレース情報ページ又はマイ予想ページには、例えばアクセス数の多い順に上から記事情報が掲載されることになる。
【０１１２】
図９（Ｂ）は、アクセス数に応じた順序で記事情報が掲載されたマイ予想ページのユーザ端末ＵＴｍにおける表示例を示す図である。図９（Ｂ）に示すように、マイ予想ページ２０２におけるトラックバック一覧における記事情報は、アクセス数の多い順に上から表示（アクセス数が最も多い記事情報は、トラックバック一覧における最上位置Ｐに表示）されている（なお、この場合、アクセス数は表示されなくとも良い）。これにより、アクセス数の多い記事情報が見易い位置にくるので、ユーザは、その記事情報をレースの予想を行う上で参考にし易い。
【０１１３】
更に別の例として、ユーザ端末ＵＴｍのユーザにより選択された所望の記事作成者を示す記事作成者情報を、ユーザＩＤに対応付けて会員データベース３５２に、ユーザ毎に判別可能に登録しておき、競馬情報サーバＫＳは、取得した記事のＵＲＬ及び記事情報（例えば、記事のタイトル、記事の要約、及び記事作成者を示すユーザＩＤ又はニックネームを含む）が複数ある場合には、これらの記事の記事作成者のうち、上記マイ予想ページのページ要求をしたユーザ端末ＵＴｍのユーザのユーザＩＤに対応する記事作成者情報に示された記事作成者の記事情報が優先的に当該マイ予想ページに掲載（例えば、図９（Ｂ）に示すトラックバック一覧における最上位置Ｐに掲載）されるように記事のＵＲＬ及び記事情報を組み込んでマイ予想ページを作成して、これをユーザ端末ＵＴｍに提供するように構成しても良い。
【０１１４】
より具体的には、各ユーザ端末ＵＴｍにおいてユーザにより上記所望の記事作成者が選択される。例えば、マイ予想ページにおけるトラックバック一覧に掲載された記事の記事作成者を示すユーザＩＤ又はニックネーム（トラックバック一覧に記事作成者情報が掲載されていない場合、ユーザは、記事のタイトルをマウスによりクリックすることにより、その記事を掲載するブログページを表示させ、かかるブログページに掲載された、記事作成者を示す例えばユーザＩＤ又はニックネーム）をコピー又はメモしておく。そして、ユーザ端末ＵＴｍにおける表示画面上に表示された例えば図６（Ａ）に示す競馬トップページ１００における「設定」ボタンを指定することにより表示された記事作成者設定画面において、上記コピー又はメモした記事作成者を示す例えばユーザＩＤ又はニックネームを入力欄に入力して登録ボタンを例えばマウスによりクリックすると、当該記事作成者を示す記事作成者情報が、競馬情報サーバＫＳに送信され、ユーザＩＤに対応付けられて会員データベース３５２に登録されることになる。そして、競馬情報サーバＫＳは、上記ステップＳ２４（図７）において、取得した記事のＵＲＬ及び記事情報が複数ある場合に、当該記事情報に含まれる記事作成者を示すユーザＩＤ又はニックネームを取得（記事ＵＲＬをキーとしてブログサーバＢＳから取得しても良い）し、当該取得したユーザＩＤ又はニックネームが記事作成者情報として会員データベース３５２に登録されている場合には、当該ユーザＩＤ又はニックネームに対応する記事情報が優先的にマイ予想ページ上に掲載されるように当該記事のＵＲＬ及び記事情報を組み込んで当該マイ予想ページを作成する。これにより、ユーザは、過去に参照した記事の中で最もレースの予想に参考になった（予想が的中した）記事作成者の記事を、その後も優先して閲覧することができる。
【０１１５】
なお、上記実施形態においては、競馬情報サーバＫＳは、ユーザ端末ＵＴｍからのページ要求が、特定のレースに関するページの要求である場合（例えば、当該ページ要求に特定のレースのレースＩＤが付加されている場合）、トラックバックサーバＴＳに対して、当該レースをレースＩＤにより指定して記事要求を行うように構成した（例えば、図７のステップＳ２及びＳ２１）が、これに限定されるものではなく、例えば当該レースのトラックバックＵＲＬを指定して記事要求をトラックバックサーバＴＳに対して行う（つまり、トラックバックＵＲＬを含む記事要求をトラックバックサーバＴＳに送信）ように構成しても良い。この場合、トラックバックサーバＴＳは、当該記事要求を受信すると、当該記事要求に含まれるトラックバックＵＲＬに関連付けられた記事のＵＲＬ及び記事情報をトラックバックデータベース２５１から取得し、これを競馬情報サーバＫＳに対して送信することになる。
【０１１６】
また、上記実施形態において、ユーザが自身の予想として本命（◎）、対抗（○）、単穴（▲）、連穴（△）等を選択することが可能なマイ予想ページに対して、本発明を適用するように構成したが、この他のページ例として、例えば勝馬投票券を購入するための選択（つまり、レースへの複数の出場対象（ここでは、馬）のうち１以上の出場対象がユーザにより選択（購入のための選択））可能な購入ページに対して適用しても良い。
【０１１７】
また、上記実施形態においては、競馬情報サイトを構成する競馬情報サーバに対して本発明を適用したが、これに限定されるものではなく、例えば競輪情報サイトや競艇情報サイトを構成するサーバ等のその他のサーバに対して適用しても良い。
【０１１８】
また、上記実施形態においては、異なる複数のページ間で共通する情報項目としてレースを例にとって説明したが、この他にも、例えば音楽や映画等のタイトル等に対して適用しても良い。
【０１１９】
また、上記実施形態においては、トラックバックデータベース２５１をトラックバックサーバＴＳに備えられるように構成したが、これに限定されるものではなく、トラックバックデータベース２５１をブログサーバＢＳ又は競馬情報サーバＫＳに備えられるように構成し、ブログサーバＢＳ又は競馬情報サーバＫＳにてトラックバックサーバＴＳと同様の処理を行うように構成しても良い。
【図面の簡単な説明】
【０１２０】
【図１】本実施形態に係るネットワークシステムＳの概要構成例を示す図である。
【図２】ブログサーバＢＳの概要構成の一例を示すブロック図である。
【図３】トラックバックサーバＴＳの概要構成の一例を示すブロック図である。
【図４】競馬情報サーバＫＳの概要構成の一例を示すブロック図である。
【図５】ユーザ端末ＵＴｍの概要構成の一例を示すブロック図である。
【図６】競馬情報サーバＫＳから提供され、ユーザ端末ＵＴ１の表示部４２における表示画面上に表示された各種ページの表示遷移例を示す図である。
【図７】本実施形態に係るネットワークシステムＳにおける処理の流れを示したシーケンス図である。
【図８】図７に示す処理の流れにおいて、ユーザ端末ＵＴ１等の表示画面上に表示された各種ページの表示遷移例を示す図である。
【図９】（Ａ）は、記事情報と共にアクセス数が掲載されたマイ予想ページのユーザ端末ＵＴｍにおける表示例を示す図であり、（Ｂ）は、アクセス数に応じた順序で記事情報が掲載されたマイ予想ページのユーザ端末ＵＴｍにおける表示例を示す図である。
【符号の説明】
【０１２１】
１１、２１、３１、４１    操作部
１２、２２、３２、４２    表示部
１３、２３、３３、４３    通信部
１４、２４、３４、４４    ドライブ部
１５、２５、３５、４５    記憶部
１６、２６、３６、４６    入出力インタフェース部
１７、２７、３７、４７    システム制御部
１８、２８、３８、４８    システムバス
ＢＳ  ブログサーバＢＳ
ＴＳ  トラックバックサーバ
ＫＳ  競馬情報サーバ
ＵＴｍ  ユーザ端末
ＮＷ  ネットワーク
Ｓ  ネットワークシステム
【図１】
2008204392.tif 000003
【図２】
2008204392.tif 000004
【図３】
2008204392.tif 000005
【図４】
2008204392.tif 000006
【図５】
2008204392.tif 000007
【図６】
2008204392.tif 000008
【図７】
2008204392.tif 000009
【図８】
2008204392.tif 000010
【図９】
2008204392.tif 000011